(57)【要約】【課題】包装信頼性を損なうことなく、構成材料の使用量を少なくすることが可能で、しかも、ある程度の変形性や、形状の復元性を有する包装緩衝材及びそれを用いた加熱調理器用包装材を提供する。【解決手段】紙系材料を加工することにより形成された包装緩衝材本体２１の内部の空間に、気体２２を封入した樹脂フィルムＦからなる気体封入緩衝材２３を充填した構造とする。また、前記空間に、１個又は複数個の気体封入緩衝材を充填する。１つの包装緩衝材が複数の空間を有しており、複数の空間のうちの所定の空間にのみ、又はすべての空間に、気体封入緩衝材を充填した構成とすることができる。また、気体封入緩衝材を構成する樹脂フィルムとして、多層構造を有するものを用いることも可能である。【選択図】          図４
2004231271.tif 000002
【特許請求の範囲】
【請求項１】
紙系材料を加工することにより形成された、内部に空間を有する包装緩衝材本体に、気体を封入した樹脂フィルムからなる気体封入緩衝材を充填したことを特徴とする包装緩衝材。
【請求項２】
前記空間に１個又は複数個の気体封入緩衝材が充填されていることを特徴とする請求項１記載の包装緩衝材。
【請求項３】
１つの包装緩衝材が複数の空間を有しており、前記複数の空間のうちの所定の空間にのみ、又はすべての空間に、前記気体封入緩衝材が充填されていることを特徴とする請求項１又は２記載の包装緩衝材。
【請求項４】
前記気体封入緩衝材を構成する樹脂フィルムが多層構造を有するものであることを特徴とする請求項１〜３のいずれかに記載の包装緩衝材。
【請求項５】
前記気体封入緩衝材が複数に仕切られた空間に気体を封入することにより形成されたものであることを特徴とする請求項１〜４のいずれかに記載の包装緩衝材。
【請求項６】
前記包装緩衝材本体の主要部が段ボール紙からなるものであることを特徴とする請求項１〜５のいずれかに記載の包装緩衝材。
【請求項７】
調理器本体と、調理器本体の上面側に配設されるトッププレートと、調理器本体に配設されたグリルと、調理器本体の前面側に配設されたグリル扉とを備えた加熱調理器を包装するための包装材であって、
調理器本体の両側部と係合するように、調理器本体の両側部に配設されて、調理器本体の側面側を保持するとともに、包装後において、包装構造体の支柱となる一対の側パッドと、
調理器本体の下面側に位置して調理器本体の下面側を保護する下ケースと、
調理器本体の上面に、調理器本体の前面より突出するような態様で配設されて調理器本体の前面を保護するとともに、その上に載置されるトッププレートの下面側から前側上面にまで回り込み、トッププレートの前側部分を挟み込むことによりトッププレートを所定の位置に保持する回り込み保持部を備えた前桟パッドと、
トッププレートの上面側に位置して、トッププレートの上面側を保護する上ケースと
を具備しており、
かつ、前記一対の側パッド及び前記前桟パッドの少なくとも一方に、請求項１〜６のいずれかに記載の構造を有する包装緩衝材が用いられている
ことを特徴とする加熱調理器用包装材。
【請求項８】
調理器本体の前側下部を保護するための前下パッドであって、調理器本体の下面から前面に回り込むように構成され、かつ、調理器本体の前面への回り込み部分の高さが、調理器本体の前面の突出部分との緩衝が生じない高さとされた前下パッドを備えており、かつ、該前下パッドとして、請求項１〜６のいずれかに記載の構造を有する包装緩衝材が用いられていることを特徴とする請求項７記載の加熱調理器用包装材。
【請求項９】
加熱調理器用包装材により加熱調理器を包装した包装構造体の主要部を被覆するように配設され、包装構造体を一体に保持するシュリンク包装材を備えていることを特徴とする請求項７又は８記載の加熱調理器用包装材。
【発明の詳細な説明】
【０００１】
【発明の属する技術分野】
本願発明は、包装緩衝材及び該包装緩衝材を用いた加熱調理器用包装材に関する。
【０００２】
【従来の技術及び発明が解決しようとする課題】
ガスを燃料とする加熱調理器は、通常、調理器本体、調理器本体の上面側に配設されるトッププレート、調理器本体に配設されたグリル、調理器本体の前面側に配設されたグリル扉などを備えている。このような加熱調理器を、搬送や保管のために包装するにあたって、従来は、例えば、図９に示すような包装構造が採用されている。
【０００３】
調理器本体５１の両側部には、調理器本体５１の側面側を保護する一対の側パッド５２が配設されており、前面側には、グリル扉６０を保護するための前面パッド６１が配設されている。さらに、調理器本体５１の上面には、一部が調理器本体５１の前面より突出するように前桟パッド５３が配設されている。トッププレート５４は箱状のプレート用パッド５５に収納されて、前桟パッド５３上に載置されており、その上に調理器本体５１の部品（五徳５６など）を収納することができるように構成された部品収納パッド５７が置かれている。そして、これら全体が段ボール紙製の容器（外箱）５８に収納され、図１０に示すように、容器５８の上蓋５８ａを閉じた状態で、ポリプロピレン製のバンド５９により締結されている。
【０００４】
ところで、上記のような包装構造においては、段ボール紙を加工することにより形成された包装材が用いられており、通常、必要な緩衝性などの特性を確保するため、ある程度の厚みを有し、かつ、相当の重量を有する包装材が用いられている。そのため、材料コストの増大や、使用済の包装材の処理費などが増大するという問題点がある。
【０００５】
また、段ボール紙のみから形成された包装材は形状の復元性に乏しく、また、大きな強度を確保するために多くの段ボール紙を用いた包装材は、変形性（形状の融通性）が必ずしも十分ではなく、被包装物の形状に応じて、それに対応した種々の形状の包装材を用意することが必要になり、手間やコストの増大を招くという問題点がある。
【０００６】
本願発明は、上記背景に鑑みてなされたものであり、信頼性を損なうことなく、包装緩衝材を構成する材料の使用量を少なくすることが可能で、しかも、ある程度の形状の復元性や変形性を有する包装緩衝材及びそれを用いた加熱調理器用包装材を提供することを目的とする。
【０００７】
【課題を解決するための手段】
上記目的を達成するために、本願発明（請求項１）の包装緩衝材は、
紙系材料を加工することにより形成された、内部に空間を有する包装緩衝材本体に、気体を封入した樹脂フィルムからなる気体封入緩衝材を充填したことを特徴としている。
【０００８】
紙系材料を加工することにより形成された包装緩衝材本体の内部の空間に、気体を封入した樹脂フィルムからなる気体封入緩衝材を充填することにより、包装緩衝材全体としての強度を低下させることなく、包装緩衝材本体を構成する材料の使用量を少なくする（例えば、包装緩衝材本体の厚みを薄くしたり、形状を小型化したりする）ことが可能になるとともに、ある程度の変形性や、形状の復元性を確保することが可能になる。
【０００９】
なお、本願発明においては、樹脂フィルムを構成する材料として、ポリエチレン、ポリプロピレン、ナイロン、ポリエチレンテレフタレート（ＰＥＴ）、オリエンテッドポリプロピレン（ＯＰＰ）などの種々の材料を用いることが可能である。また、樹脂フィルムのアルミニウムを蒸着したアルミニウム蒸着フィルムを用いることも可能である。
また、本願発明においては、気体封入緩衝材に封入される気体として、通常は空気が用いられるが、窒素ガスなどの他の気体を用いることも可能である。
また、内部に空間を有する包装緩衝材本体は一部が開口していてもよい。
【００１０】
また、請求項２の包装緩衝材は、前記空間に１個又は複数個の気体封入緩衝材が充填されていることを特徴している。
【００１１】
包装緩衝材本体の内部の空間には、１個の気体封入緩衝材を充填してもよく、また、複数個の気体封入緩衝材を充填するようにしてもよい。なお、１つの空間に気体封入緩衝材を複数個充填することにより、包装及び緩衝の信頼性を向上させることが可能になる。
【００１２】
また、請求項３の包装緩衝材は、１つの包装緩衝材が複数の空間を有しており、前記複数の空間のうちの所定の空間にのみ、又はすべての空間に、前記気体封入緩衝材が充填されていることを特徴としている。
【００１３】
本願発明においては、１つの包装緩衝材が複数の空間を有するように構成することも可能である。そして、その場合に、複数の空間のうちの所定の空間にのみ気体封入緩衝材を充填してもよく、また、すべての空間に気体封入緩衝材を充填してもよい。なお、包装信頼性に影響がない範囲において、所定の空間にのみ気体封入緩衝材を充填することにより、気体封入緩衝材の使用量を抑えてコストの低減を図ることが可能になる。
【００１４】
また、請求項４の包装緩衝材は、前記気体封入緩衝材を構成する樹脂フィルムが多層構造を有するものであることを特徴としている。
【００１５】
気体封入緩衝材を構成する樹脂フィルムとして、多層構造のものを用いることにより、内部の気体の漏れや、樹脂フィルムの破裂などによる不良の発生を抑制、防止して、さらに信頼性の高い包装緩衝材を提供することが可能になる。
【００１６】
なお、多層構造の樹脂フィルムを用いる場合、各層を同一の材料から構成してもよく、また、異なる材料から構成してもよい。例えば、気体封入緩衝材の破裂防止の見地から機械的強度を重視して材料を選択したり、内部の気体の種類により、気体が通過しにくい材料を選択したり、あるいはそれらを組み合わせたりすることにより、信頼性の高い気体封入緩衝材を得ることができる。
【００１７】
また、請求項５の包装緩衝材は、前記気体封入緩衝材が複数に仕切られた空間に気体を封入することにより形成されたものであることを特徴としている。
【００１８】
気体封入緩衝材を、複数に仕切られた空間に気体が封入された構造とすることにより、複数の空間の一部に気体の漏れや破裂などがあった場合にも、全体としての緩衝性が損なわれることを防止して、信頼性を向上させることが可能になる。
【００１９】
また、請求項６の包装緩衝材は、前記包装緩衝材本体の主要部が段ボール紙からなるものであることを特徴としている。
【００２０】
包装緩衝材本体の主要部を、汎用性が高く、使用後にもリサイクルが可能な段ボール紙から構成することにより、原材料の確保の容易性と、環境への負荷の低減を図ることが可能になり有意義である。なお、本願発明においては、包装緩衝材本体の構成材料として、古紙成形材料などの段ボール紙以外の材料を用いることも可能である。
【００２１】
また、本願発明（請求項７）の加熱調理器用包装材は、
調理器本体と、調理器本体の上面側に配設されるトッププレートと、調理器本体に配設されたグリルと、調理器本体の前面側に配設されたグリル扉とを備えた加熱調理器を包装するための包装材であって、
調理器本体の両側部と係合するように、調理器本体の両側部に配設されて、調理器本体の側面側を保持するとともに、包装後において、包装構造体の支柱となる一対の側パッドと、
調理器本体の下面側に位置して調理器本体の下面側を保護する下ケースと、
調理器本体の上面に、調理器本体の前面より突出するような態様で配設されて調理器本体の前面を保護するとともに、その上に載置されるトッププレートの下面側から前側上面にまで回り込み、トッププレートの前側部分を挟み込むことによりトッププレートを所定の位置に保持する回り込み保持部を備えた前桟パッドと、
トッププレートの上面側に位置して、トッププレートの上面側を保護する上ケースと
を具備しており、
かつ、前記一対の側パッド及び前記前桟パッドの少なくとも一方に、請求項１〜６のいずれかに記載の構造を有する包装緩衝材が用いられている
ことを特徴としている。
【００２２】
加熱調理器用包装材において、上記一対の側パッド及び前桟パッドの少なくとも一方に、本願請求項１〜６のいずれかに記載の構造を有する包装緩衝材を用いることにより、包装材を構成する材料の使用量を抑えつつ、加熱調理器を確実に包装することが可能になる。
【００２３】
また、請求項８の加熱調理器用包装材は、調理器本体の前側下部を保護するための前下パッドであって、調理器本体の下面から前面に回り込むように構成され、かつ、調理器本体の前面への回り込み部分の高さが、調理器本体の前面の突出部分との緩衝が生じない高さとされた前下パッドを備えており、かつ、該前下パッドとして、請求項１〜６のいずれかに記載の構造を有する包装緩衝材が用いられていることを特徴としている。
【００２４】
調理器本体の前側下部に前下パッドを取り付けることにより、調理器本体の位置ずれを防止するとともに、調理器本体の前側下部を保護することが可能になり、また、調理器本体の前面への回り込み部分の高さを、調理器本体の前面の突出部分との緩衝が生じない高さとすることにより、調理器本体の前面の構造や構成に左右されることなく、調理器本体の前側下部に前下パッドを確実に取り付けることが可能になる。そして、この前下パッドとして、本願請求項１〜６のいずれかに記載の構造を有する包装緩衝材を用いることにより、包装材を構成する材料の使用量を抑えつつ、加熱調理器の下部をより確実に保護して、信頼性の高い包装を行うことが可能になる。
【００２５】
また、請求項９の加熱調理器用包装材は、加熱調理器用包装材により加熱調理器を包装した包装構造体の主要部を被覆するように配設され、包装構造体を一体に保持するシュリンク包装材を備えていることを特徴としている。
【００２６】
シュリンク包装材を用いてシュリンク包装することにより、包装構造体を一体に保持することが可能になり、包装信頼性をさらに向上させることが可能になる。
【００２７】
【発明の実施の形態】
以下、本願発明の実施の形態を示して、その特徴とするところをさらに詳しく説明する。
【００２８】
［実施形態１］
図１は本願発明の一実施形態（実施形態１）にかかる包装緩衝材（包装材）を用いた加熱調理器（被包装物）の包装構造を示す分解斜視図である。
【００２９】
この実施形態１における被包装物は、ガスを燃料として加熱調理を行う加熱調理器であって、この加熱調理器Ａは、調理器本体（実質的な被包装物）１と、トッププレート２と、使用時に調理器本体１やトッププレート２などに取り付けて用いられる付属部品を備えており、この付属部品には、五徳３、汁受け皿４などが含まれている。
また、調理器本体１の前面には、グリル扉５、操作つまみ６などが配設されており、グリル扉５により開閉されるグリル７には、粘着テープ１０により互いに連結された状態で焼網８、水入れ皿９が収納されている。
【００３０】
また、この実施形態１において用いられている包装緩衝材は、調理器本体１の両側部と係合するように、調理器本体１の両側部に配設されて、調理器本体１の側面側を保持する一対の側パッド１１ａ，１１ｂと、側パッド１１ａ，１１ｂが配設された状態の調理器本体１の下面側に位置して調理器本体１の下面側を保護する下ケース１２と、調理器本体１の前面を保護するとともに、トッププレート２を所定の位置に保持する前桟パッド１４と、トッププレート２上に配設される、五徳３、汁受け皿４などの付属部品を収納するための部品収納パッド１５と、部品収納パッド１５上に配設される上ケース１６と、調理器本体１の前側下部を保護するための前下パッド１７と、各包装材（側パッド１１ａ，１１ｂ、下ケース１２、前桟パッド１４、部品収納パッド１５、上ケース１６、及び前下パッド１７）により加熱調理器Ａを包装した包装構造体１９（図３）の全体を覆い、加熱することにより収縮して、各包装材を、加熱調理器Ａに係合した状態に保持、固定するシュリンク包装材１８とを備えている。
【００３１】
なお、前桟パッド１４は、調理器本体１の上面前側に、前側部分が調理器本体１の前面より突出するような態様で配設されて調理器本体１の前面を保護する機能を果たすように構成されているとともに、その上に載置されるトッププレート２の下面側から前側上面にまで回り込み、トッププレート２の前側部分を挟み込むことによりトッププレート２を所定の位置に保持する回り込み保持部１３を備えた構成とされている。
また、この実施形態１においては、トッププレート２は樹脂シート３０により覆われた状態で包装されるように構成されている。
【００３２】
左右の一対の側パッド１１ａ，１１ｂは、段ボール紙を加工することにより形成されており、調理器本体１の左右両端部と係合して、両端部を保護する係合部２１ａ，２１ｂと、加熱調理器Ａが各包装材により包装された包装構造体１９において、支柱としての機能を果たす支柱部２２ａ，２２ｂとを備えた構成とされている。
そして、係合部２１ａ，２１ｂとして、図４にその要部を模式的に示すように、段ボール紙を加工することにより形成された係合部本体（包装緩衝材本体）２１の内部の空間２６に、気体２２を封入した樹脂フィルムＦからなる気体封入緩衝材２３を充填することにより形成された、本願発明にかかる包装緩衝材が用いられている。
【００３３】
また、前桟パッド１４は薄い箱状で、かつ、回り込み保持部１３を一体に備えた構造を有している。
そして、この前桟パッド１４としては、図５にその要部を模式的に示すように、段ボール紙を加工することにより形成された前桟パッド本体（包装緩衝材本体）２４の内部の空間２４ａに、気体２２を封入した樹脂フィルムＦからなる気体封入緩衝材２３を充填することにより形成された、本願発明にかかる包装緩衝材が用いられている。
【００３４】
また、前下パッド１７は、調理器本体１の下面から前面に回り込むように構成されており、調理器本体１の前面への回り込み部分１７ａは、調理器本体１の前面側の下辺全体を受けるような長さを有しているとともに、回り込み部分１７ａの高さは、調理器本体１の前面の突出部分（例えば、操作つまみ６や、その他の特に図示しない温度調整つまみ、タイマー操作つまみなど）との緩衝が生じない高さとされている。
そして、前下パッド１７として、図６にその要部を模式的に示すように、段ボール紙を加工することにより形成された前下パッド本体（包装緩衝材本体）２５の内部の空間２５ａに、気体２２を封入した樹脂フィルムＦからなる気体封入緩衝材２３を充填することにより形成された、本願発明にかかる包装緩衝材が用いられている。
【００３５】
なお、この実施形態１においては、下ケース１２、部品収納パッド１５、上ケース１６も、段ボール紙を加工することにより形成されている。
また、シュリンク包装材１８としては、ポリオレフィン系材料からなる、いわゆる「ポリシュリンクフィルム」として広く知られている樹脂シートが用いられている。ただし、シュリンク包装材１８としては、その他にも、加熱することにより収縮する機能を備えた種々の樹脂シートを用いることが可能である。
【００３６】
上述の各包装材（側パッド１１ａ，１１ｂ、下ケース１２、前桟パッド１４、部品収納パッド１５、上ケース１６、及び前下パッド１７）を加熱調理器Ａの所定の位置に配設し、シュリンク包装材１８により全体を被覆した後、所定の温度（例えば、２００℃）に加熱し、シュリンク包装材１８を収縮させることにより、側パッド１１ａ，１１ｂ、下ケース１２、前桟パッド１４、部品収納パッド１５、上ケース１６、及び前下パッド１７が、加熱調理器Ａに対して、所定の位置に確実に保持、固定された状態の包装構造体１９（図３）が得られる。なお、図３は、包装構造体１９に、さらにポリプロピレン製のバンド２０を巻き回して締結した状態を示している。
【００３７】
この実施形態１では、一対の側パッド１１ａ，１１ｂ（詳しくは、係合部２１ａ，２１ｂ）、前桟パッド１４、及び前下パッド１７として、気体２２を封入した樹脂フィルムＦからなる気体封入緩衝材２３を充填することにより形成された、本願発明にかかる包装緩衝材が用いられているので、包装材を構成する材料の使用量を抑えつつ、加熱調理器Ａを確実に包装することが可能になる。
【００３８】
また、一対の側パッド１１ａ，１１ｂ（詳しくは、係合部２１ａ，２１ｂ）、前桟パッド１４、及び前下パッド１７として用いられている、包装緩衝材本体の内部の空間に気体封入緩衝材を充填した包装緩衝材は、段ボール紙のみからなる緩衝材に比べて、変形性や形状の復元性に優れていることから、効率よく信頼性の高い包装を実現することができる。
【００３９】
また、図２に示すように、トッププレート２を樹脂シート３０により被覆した状態で、調理器本体１及び前桟パッド１４の上面に載置するとともに、前桟パッド１４の回り込み保持部１３を、トッププレート２の下面側から前側上面にまで回り込ませてトッププレート２の前側部分を挟み込むことにより、トッププレート２を所定の位置に確実に保持して、搬送中などにおけるトッププレート２の位置ずれの発生を防止することが可能になる。
【００４０】
また、この実施形態１の包装構造においては、回り込み保持部１３を備えた前桟パッド１４により、トッププレート２が所定の位置に確実に保持され、かつ、シュリンク包装材１８及びバンド２０により各包装材（側パッド１１ａ，１１ｂ、下ケース１２、前桟パッド１４、部品収納パッド１５、上ケース１６、及び前下パッド１７）が加熱調理器Ａと一体に保持、固定されているので、加熱調理器Ａが全体として確実に包装された、信頼性の高い包装を実現することができる。また、側パッド１１ａ，１１ｂが、包装構造体１９における支柱としての機能を果たすため、積み重ねて保管した場合の荷崩れの発生を抑制、防止することができる。
【００４１】
また、前桟パッド１４により、トッププレート２の前側部分を挟み込むことにより、トッププレート２を所定の位置に保持するようにしているので、従来のように、トッププレート２を収納するための箱状のプレート用パッドが不要になり、部品点数を減らすことが可能になる。
【００４２】
また、前下パッド１７により、調理器本体１の前面側の下辺全体を受けるようにしているので、調理器本体１を衝撃から確実に保護することが可能になるとともに、回り込み部分１７ａが、調理器本体１の下面から前面に回り込んで調理器本体１を保持するため、搬送工程などにおける調理器本体１の位置ずれを防止して、包装信頼性を向上させることが可能になる。
また、調理器本体１の前面への回り込み部分１７ａの高さを、調理器本体１の前面の突出部分（例えば、操作つまみ６や、その他の特に図示しない温度調整つまみ、タイマー操作つまみなど）との緩衝が生じない高さとしているので、取り付けが容易で、包装の作業性を低下させることがない。
【００４３】
また、上記実施形態１では、シュリンク包装材１８により包装する場合に、特に包装構造体が密閉されるような構成とはしていないが、シュリンク包装材１８により包装構造体１９の全体を被覆して密閉状態とすることにより、さらに包装信頼性を向上させることができる。
【００４４】
［実施形態２］
この実施形態２では、本願発明の包装緩衝材を用いてガス給湯器（被包装物）を包装する場合を例にとって説明する。
【００４５】
図７，図８は本願発明の他の実施形態を示す図である。この実施形態２における被包装物は、ガスを燃料とする給湯器（ガス給湯器）Ｂであり、ガス給湯器Ｂを包装するための包装材としては、図７，図８に示すように、段ボール紙又は古紙成形品からなる下部包装材３１と、同じく、段ボール紙又は古紙成形品からなる上部包装材３２と、被包装物であるガス給湯器Ｂに下部包装材３１及び上部包装材３２が配設された包装構造体４０を覆うように配設され、加熱されることにより収縮して、下部包装材３１及び上部包装材３２がガス給湯器Ｂに係合し、ガス給湯器Ｂと一体となった状態に保持するシュリンク包装材３３（図８）からなる包装材が用いられている。
【００４６】
下部包装材３１は、平面形状がガス給湯器Ｂの平面形状よりも大きく、かつ、ガス給湯器Ｂの下部が嵌入する凹部３１ａを備え、ガス給湯器Ｂの下部を嵌入させた場合に、周縁部がガス給湯器Ｂの平面領域から外側に突出した状態となって、下面側及び側面側からの衝撃に対してガス給湯器Ｂを保護する機能を果たすように構成されている。
【００４７】
そして、この下部包装材３１としては、図８に示すように、段ボール紙又は古紙成形品からなる下部包装材本体（包装緩衝材本体）４１の内部の空間４１ａに、気体２２を封入した樹脂フィルムＦからなる気体封入緩衝材２３を充填することにより形成された、本願発明にかかる包装緩衝材が用いられている。なお、下部包装材本体（包装緩衝材本体）４１は、下側箱状部４２ａと上側箱状部４２ｂを組み合わせることにより形成されている。
【００４８】
また、上部包装材３２は、下部包装材３１と同様、平面形状がガス給湯器Ｂの平面形状よりも大きく、かつ、ガス給湯器Ｂの上部が嵌入する凹部３２ａを備え、ガス給湯器Ｂの上部を嵌入させた場合に、周縁部がガス給湯器Ｂの平面領域から外側に突出した状態となって、上面側及び側面側からの衝撃に対してガス給湯器Ｂを保護する機能を果たすように構成されている。
【００４９】
そして、この上部包装材３２は、図８に示すように、段ボール紙又は古紙成形品からなる上部包装材本体（包装緩衝材本体）４３の内部の空間４３ａに、気体２２を封入した樹脂フィルムＦからなる気体封入緩衝材２３を充填することにより形成された、本願発明にかかる包装緩衝材が用いられている。なお、上部包装材本体（包装緩衝材本体）４３は、上側箱状部４４ａと下側箱状部４４ｂを組み合わせることにより形成されている。
【００５０】
上述のように構成された包装材を用いてガス給湯器Ｂを包装するにあたっては、まず、下部包装材３１及び上部包装材３２を、それぞれの凹部３１ａ，３２ａに、ガス給湯器Ｂの下部及び上部が嵌入するような態様で、ガス給湯器Ｂに取り付ける。
それから、下部包装材３１がガス給湯器Ｂの下部に取り付けられ、上部包装材３２がガス給湯器Ｂの上部に取り付けられた状態の包装構造体４０を、シュリンク包装材３３により被覆した後、所定の温度（例えば、２００℃）に加熱し、シュリンク包装材３３を収縮させる。これにより、図７，図８に示すように、下部包装材３１及び上部包装材３２がガス給湯器Ｂの下部及び上部に固定され、かつ、内部がシュリンク包装材３３により密閉された状態の包装体が得られる。
【００５１】
この実施形態２では、下部包装材３１として、下部包装材本体（包装緩衝材本体）４１の内部の空間４１ａに、気体２２を封入した樹脂フィルムＦからなる気体封入緩衝材２３を充填することにより形成された包装緩衝材が用いられており、上部包装材３２として、上部包装材本体（包装緩衝材本体）４３の内部の空間４３ａに、気体２２を封入した樹脂フィルムＦからなる気体封入緩衝材２３を充填することにより形成された包装緩衝材が用いられているので、包装材を構成する材料（この実施形態２では段ボール紙又は古紙成形品）の使用量を抑えつつ、ガス給湯器Ｂを確実に包装することが可能になる。
【００５２】
また、下部包装材３１及び上部包装材３２として用いられている、包装緩衝材本体の内部の空間に気体封入緩衝材を充填した包装緩衝材は、段ボール紙のみからなる緩衝材に比べて、変形性や形状の復元性に優れていることから、条件によっては、１種類の包装緩衝材により、形状が異なる複数種類の被包装物に対応することが可能になり、効率よく信頼性の高い包装を実現することができる。
【００５３】
なお、上記実施形態１及び２では、１つの包装緩衝材が一つの空間を有し、かつ、該空間に１個の気体封入緩衝材が充填された構造を有している場合を例にとって説明したが、包装緩衝材の一つの空間に、複数個の気体封入緩衝材が充填された構成とすることも可能である。
【００５４】
また、本願発明においては、１つの包装緩衝材が複数の空間を有するように構成することも可能である。そして、その場合に、複数の空間のうちの所定の空間にのみ気体封入緩衝材を充填することも可能であり、また、すべての空間に気体封入緩衝材を充填することも可能である。
【００５５】
また、本願発明の包装緩衝材においては、気体封入緩衝材を構成する樹脂フィルムを多層構造とすることが可能であり、内部に封入される気体の種類などの条件により、多層構造の樹脂フィルムの各層を同一の材料から構成したり、異なる材料から構成したりすることも可能である。
【００５６】
また、気体封入緩衝材を、複数に仕切られた空間に気体が封入された構造とすることも可能であり、その場合には、複数の空間の一部に気体の漏れや破裂などが生じた場合にも、全体としての緩衝性を確保して、包装信頼性を向上させることができる。
【００５７】
本願発明はさらにその他の点においても上記実施形態に限定されるものではなく、包装緩衝材本体及び気体封入緩衝材の具体的な形状や配設態様などに関し、発明の範囲内において、種々の応用、変形を加えることが可能である。
【００５８】
【発明の効果】
上述のように本願発明（請求項１）の包装緩衝材は、紙系材料を加工することにより形成された包装緩衝材本体の内部の空間に、気体を封入した樹脂フィルムからなる気体封入緩衝材を充填するようにしているので、包装緩衝材の強度を低下させることなく、包装緩衝材本体を構成する材料の使用量を少なくすることが可能になるとともに、ある程度の変形性や、形状の復元性を確保することが可能になる。
【００５９】
また、請求項２の包装緩衝材のように、包装緩衝材の内部の空間には、１個の気体封入緩衝材を充填してもよく、また、複数個の気体封入緩衝材を充填するようにしてもよい。なお、１つの空間に気体封入緩衝材を複数個充填することにより、包装及び緩衝の信頼性を向上させることが可能になる。
【００６０】
本願発明の包装緩衝材においては、請求項３のように、１つの包装緩衝材が複数の空間を有するように構成することも可能である。そして、その場合には、複数の空間のうちの所定の空間にのみ気体封入緩衝材を充填してもよく、また、すべての空間に気体封入緩衝材を充填してもよい。なお、包装信頼性に影響のない範囲内において、所定の空間にのみ気体封入緩衝材を充填することにより、気体封入緩衝材の使用量を抑えてコストの低減を図ることが可能になる。
【００６１】
また、請求項４の包装緩衝材のように、気体封入緩衝材を構成する樹脂フィルムとして、多層構造のものを用いることにより、内部の気体の漏れや、樹脂フィルムの破裂などによる包装不良の発生を抑制、防止して、さらに信頼性の高い包装緩衝材を提供することが可能になる。
【００６２】
また、請求項５の包装緩衝材のように、気体封入緩衝材を、複数に仕切られた空間に気体が封入された構造とすることにより、複数の空間の一部に気体の漏れや破裂などが生じた場合にも、全体としての緩衝性が損なわれることを防止して、信頼性を向上させることが可能になる。
【００６３】
また、請求項６の包装緩衝材のように、包装緩衝材本体の主要部を、汎用性が高く、使用後にもリサイクルが可能な段ボール紙から構成することにより、原材料の確保の容易性と、環境への負荷の低減を図ることが可能になり有意義である。なお、本願発明においては、包装緩衝材本体の構成材料として、古紙成形材料などの段ボール紙以外の材料を用いることも可能である。
【００６４】
また、本願発明（請求項７）の加熱調理器用包装材は、一対の側パッド及び前桟パッドの少なくとも一方に、本願請求項１〜６のいずれかに記載の構造を有する包装緩衝材を用いることにより、包装材を構成する材料の使用量を抑えつつ、加熱調理器を確実に包装することが可能になる。
【００６５】
また、請求項８の加熱調理器用包装材のように、調理器本体の前側下部に、本願請求項１〜６のいずれかに記載の構造を有する包装緩衝材を前下パッドとして取り付けることにより、包装材を構成する材料の使用量を抑えつつ、加熱調理器の下部をより確実に保護して、信頼性の高い包装を行うことが可能になる。
【００６６】
また、請求項９の加熱調理器用包装材のように、シュリンク包装材を用いてシュリンク包装することにより、包装構造体を一体に保持することが可能になり、包装信頼性をさらに向上させることが可能になる。
【図面の簡単な説明】
【図１】本願発明の一実施形態（実施形態１）にかかる包装緩衝材を用いた加熱調理器の包装構造を示す分解斜視図である。
【図２】本願発明の一実施形態（実施形態１）にかかる包装緩衝材を用いた加熱調理器の包装構造の要部を示す図である。
【図３】本願発明の一実施形態（実施形態１）にかかる包装緩衝材を用いて加熱調理器を包装した状態を示す斜視図である。
【図４】本願発明の一実施形態（実施形態１）にかかる包装材（側パッドの係合部）の構造を示す断面図である。
【図５】本願発明の一実施形態（実施形態１）にかかる包装材（前桟パッド）の構造を示す断面図である。
【図６】本願発明の一実施形態（実施形態１）にかかる包装材（前下パッド）の構造を示す断面図である。
【図７】本願発明の他の実施形態（実施形態２）にかかる包装緩衝材を用いた包装構造を示す分解斜視図である。
【図８】本願発明の他の実施形態（実施形態２）にかかる包装緩衝材を用いた包装構造を示す断面図である。
【図９】従来の包装材を用いた加熱調理器の包装構造を示す分解斜視図である。
【図１０】従来の包装材を用いて加熱調理器を包装した状態を示す斜視図である。
【符号の説明】
１            調理器本体
２            トッププレート
３            五徳
４            汁受け皿
５            グリル扉
６            操作つまみ
７            グリル
８            焼網
９            水入れ皿
１０          粘着テープ
１１ａ，１１ｂ      側パッド
１２          下ケース
１３          回り込み保持部
１４          前桟パッド
１５          部品収納パッド
１６          上ケース
１７          前下パッド
１７ａ        回り込み部分
１８          シュリンク包装材
１９          包装構造体
２０          ポリプロピレン製のバンド
２１          係合部本体（包装緩衝材本体）
２１ａ，２１ｂ    係合部
２６          係合部本体の内部の空間
２２          気体
２２ａ，２２ｂ    支柱部
２３          気体封入緩衝材
２４          前桟パッド本体（包装緩衝材本体）
２４ａ        前桟パッド本体の内部の空間
２５          前下パッド本体（包装緩衝材本体）
２５ａ        前下パッド本体の内部の空間
３０          樹脂シート
３１          下部包装材
３１ａ        下部包装材の凹部
３２          上部包装材
３２ａ        上部包装材の凹部
３３          シュリンク包装材
４０          包装構造体
４１          下部包装材本体（包装緩衝材本体）
４１ａ        下部包装材本体の内部の空間
４２ａ        下部包装材の下側箱状部
４２ｂ        下部包装材の上側箱状部
４３          上部包装材本体（包装緩衝材本体）
４３ａ        上部包装材本体の内部の空間
４４ａ        上部包装材の上側箱状部
４４ｂ        上部包装材の下側箱状部
Ａ            加熱調理器
Ｂ            ガス給湯器
Ｆ            樹脂フィルム
【図１】
2004231271.tif 000003
【図２】
2004231271.tif 000004
【図３】
2004231271.tif 000005
【図４】
2004231271.tif 000006
【図５】
2004231271.tif 000007
【図６】
2004231271.tif 000008
【図７】
2004231271.tif 000009
【図８】
2004231271.tif 000010
【図９】
2004231271.tif 000011
【図１０】
2004231271.tif 000012